(57)【要約】【課題】  改善された利便性と性能とを有する乾湿用吸引掃除機を提供する。【解決手段】  乾湿用吸引掃除機１０は、キャニスタ１４と、ファンを備えた駆動ヘッドアセンブリ１２と、遮断装置とを有している。キャニスタにおける液体が所定容積を超過した場合、遮断装置は、ファン４４が液体をファン入口に吸引することを防止している。駆動ヘッドアセンブリが、所望する駆動モードを可能にする制御装置を含んでいて、ユーザは、ＡＣ電源、又はバッテリパック２８のようなＤＣ電源を使用することができる。バッテリパックはドリル／ドライバ及びのこぎりを含む種々のコード無し工具のバッテリパックと互換性がある。【選択図】      図１
2004160235.tif 000002
【特許請求の範囲】
【請求項１】
キャニスタと、駆動ヘッドアセンブリと、遮断装置と、電気コードと、バッテリとを具備する実用的吸引掃除機において：
該駆動ヘッドアセンブリは、キャニスタへ連結されていて、ファン入口を含んでいるファンと、該ファンに回転動力を提供するモータと、該モータに電力を供給する電源とを有しており；
該遮断装置は該駆動ヘッドアセンブリに取りつけられていて、該キャニスタにおける液体が所定体積を超過した場合、該ファンが該液体を該ファン入口の中へ吸引することを防止するために、該遮断装置は形成されており；
該電気コードは該電源へ接続されていて、ユーザが該電源を交流電源装置へ選択的に接続可能にするために、該電気コードが形成されており；
該バッテリは該電源へ接続されていて、該電源が交流電源から交流を受電できない場合、該バッテリは該電源に給電するための直流電源となっている；
実用的吸引掃除機。
【請求項２】
該バッテリが、該実用的吸引掃除機から取りはずし可能な、請求項１に記載の実用的吸引掃除機。
【請求項３】
該電源と該電気コードとの一方へ電気的に接続されているバッテリ充電器であって、該電気コードが該交流電源へ接続されている場合該バッテリを充電するために作動可能なバッテリ充電器をさらに具備する、請求項２に記載の実用的吸引掃除機。
【請求項４】
該電源が、該交流電源と該直流電源とのいずれかを選択するための回路を含んでいる、請求項１に記載の実用的吸引掃除機。
【請求項５】
該電源が交流電源を受電する場合、該回路は、該バッテリが電力を該電源へ供給することを防止している、請求項４に記載の実用的吸引掃除機。
【請求項６】
該電源が、ＡＣ／ＤＣコンバータ及びＤＣ／ＤＣコンバータを含んでいる、請求項５に記載の実用的吸引掃除機。
【請求項７】
該ＡＣ／ＤＣコンバータ及び該ＤＣ／ＤＣコンバータ各々が、該モータへの電力エネルギをパルス変調するためにスイッチング電源を含んでいる、請求項６に記載の実用的吸引掃除機。
【請求項８】
該電源が、該モータへの電力エネルギをパルス変調するために、少なくとも一つのスイッチング電源を含んでいる、請求項１に記載の実用的吸引掃除機。
【請求項９】
該駆動ヘッドアセンブリが、該ファンと、該モータと、該電源とを収納しているハウジングを含んでいて、該ハウジングは入口及び出口を含んでおり、該実用的吸引掃除機の作動が、取入れた空気流を該入口を介して該キャニスタへ吸引し、排出された空気流を該出口を介して吐出する、請求項１に記載の実用的吸引掃除機。
【請求項１０】
冷却空気取入口と冷却空気吐出口が該ハウジングに形成されていて、該冷却空気吐出口は該出口に接続されているので、該出口を通過して流れる空気が、該冷却空気吐出口を横切って通過し、比較的低圧の領域を作り出していて、空気を該冷却空気吐出口から外へ吸出し、従って該モータの冷却をもたらすようになっている、請求項９に記載の実用的吸引掃除機。
【請求項１１】
該冷却空気取入口が該入口近傍に位置決めされている、請求項１０に記載の実用的吸引掃除機。
【請求項１２】
該冷却空気取入口が、該入口周囲に同心的に位置決めされている請求項１１に記載の実用的吸引掃除機。
【請求項１３】
該遮断装置が、該ファン入口をブロックするための構造体を含んでいる、請求項１に記載の実用的吸引掃除機。
【請求項１４】
該構造体がフロートである請求項１３に記載の実用的吸引掃除機。
【請求項１５】
該バッテリと互換可能な第二バッテリであって、該第二バッテリは該バッテリと異なる電圧を有しており、該第二バッテリが該バッテリと交換される場合、及び該電源が該交流電源から交流を受電できない場合、該第二バッテリは、該電源への給電用直流電源となっている、第二バッテリをさらに具備する、請求項１に記載の実用的吸引掃除機。
【請求項１６】
バッテリパックと、電動工具と、実用的吸引掃除機とを具備する工具セットにおいて：
該電動工具が、該バッテリパックを着脱可能に収納するためのレセプタクルアセンブリを有していて；
該実用的吸引掃除機が、キャニスタと、駆動ヘッドアセンブリと、遮断装置とを有していて、該駆動ヘッドアセンブリは、キャニスタへ連結されていて、ファン入口を含んでいるファンと、該ファンに回転動力を提供するモータと、該モータに電力を供給する電源とを有しており、該遮断装置は、該駆動ヘッドアセンブリに取りつけられていて、該キャニスタにおける液体が所定体積を超過した場合、該ファンが該液体を該ファン入口の中へ吸引することを防止するために該遮断装置は形成されており、該電源は該バッテリパックを着脱可能に収納するためのレセプタクルアセンブリを含んでいて；
該バッテリパックは、該電動工具と該実用的電気掃除機とのどちらかへ選択的に接続できる；
工具セット。
【請求項１７】
該電源へ接続されていて、ユーザが該電源を交流電源装置へ選択的に接続可能にするために形成されている、電気コードをさらに具備する、請求項１６に記載の工具セット。
【請求項１８】
該電源と該電気コードとの一方へ電気的に接続されているバッテリ充電器であって、該電気コードが該交流電源へ接続されている場合該バッテリを充電するために作動可能なバッテリ充電器をさらに具備する、請求項１７に記載の工具セット。
【請求項１９】
該電源が、該交流電源と該バッテリパックにより提供された電気エネルギとのいずれかを選択するための回路を含んでいる、請求項１７に記載の工具セット。
【請求項２０】
該電源が交流電源を受電する場合、該バッテリパックが電力を該電源へ供給することを、該回路は防止している、請求項１９に記載の工具セット。
【請求項２１】
該電動工具が、フラッシュライトと、丸のこと、往復動のこと、ドリルドライバとから成る電動工具の一群から選択されている、請求項１６に記載の工具セット。
【請求項２２】
該バッテリ充電器を再充電するためのバッテリ充電器をさらに具備する、請求項１６に記載の工具セット。
【請求項２３】
該駆動ヘッドアセンブリが、該ファンと、該モータと、該電源とを収納しているハウジングを含んでいて、該ハウジングは入口及び出口を含んでおり、該実用的吸引掃除機の作動が、取入れた空気流を該入口を介して該キャニスタへ吸引し、該出口を介して排出された空気流を吐出する、請求項１６に記載の工具セット。
【請求項２４】
冷却空気取入口と冷却空気吐出口が該ハウジングに形成されていて、該冷却空気吐出口は該出口に接続されているので、従って該出口を通過して流れる空気が、該冷却空気吐出口を横切って通過し、比較的低圧の領域を作り出していて、空気を該冷却空気吐出口から外へ吸い出し、従って該モータの冷却をもたらすようになっている、請求項２３に記載の工具セット。
【請求項２５】
該冷却空気取入口が該入口近傍に位置決めされている請求項２４に記載の工具セット。
【請求項２６】
該冷却空気取入口が、該入口周囲に同心的に位置決めされている請求項２５に記載の工具セット。
【請求項２７】
該バッテリパックと互換可能な第二バッテリパックであって、該第二バッテリパックは、該バッテリパックと異なる電圧を有しており、該第二バッテリパックが該バッテリパックと交換される場合、及び該電源が該交流電源から交流を受電できない場合、該第二バッテリパックは、該電源への給電用直流電源となっている、第二バッテリパックをさらに具備する、請求項６に記載の工具セット。
【請求項２８】
キャニスタと、駆動ヘッドアセンブリと、遮断装置と、バッテリとを具備する実用的吸引掃除機において：
該駆動ヘッドアセンブリは、キャニスタへ連結されていて、ファン入口を含んでいるファンと、該ファンに回転動力を提供するモータと、該モータに電力を供給する電源とを有しており；
該遮断装置は、該駆動ヘッドアセンブリに取りつけられていて、該キャニスタにおける液体が所定体積を超過した場合、該ファンが該液体を該ファン入口の中へ吸引することを防止するために該遮断装置は形成されており；
該バッテリは該電源へ接続されていて、該バッテリは該電源に給電用の直流電源を提供している； 
実用的吸引掃除機。
【請求項２９】
該バッテリが該駆動ヘッドアセンブリに着脱可能に取りつけられている、請求項２８に記載の実用的吸引掃除機。
【請求項３０】
該電源に接続されている電気コードであって、該電気コードが、該電源を第二直流電源へ接続しており、該第二直流電源が該バッテリと別個で独立したものである、電気コードをさらに具備する、請求項２８に記載の実用的吸引掃除機。
【請求項３１】
該バッテリにより提供される該電源の電圧が、第二直流電源により提供される直流の電圧と異なっている、請求項３０に記載の実用的吸引掃除機。
【請求項３２】
該電源へ接続されている電気コードであって、該電源を交流電源へ着脱可能に接続するべく形成されている電気コードをさらに具備する、請求項３０に記載の実用的吸引掃除機。
【請求項３３】
該駆動ヘッドアセンブリが、該ファンと、該モータと該電源とを収納しているハウジングを含んでいて、該ハウジングは入口及び出口を含んでおり、該実用的吸引掃除機の作動が、取入れた空気流を該入口を介して該キャニスタへ吸引し、該出口を介して排出された空気流を吐出していて；
該バッテリがコンパートメントに収納されており、該コンパートメントが該ハウジングとふたとにより形成されていて、該ふたは、該ハウジングに対して第一状態と第二状態との間で可動であり、該第一状態において、該バッテリの、該コンパートメントへの挿入と該コンパートメントからの取出しとが可能であって、該第二状態において、該バッテリの、該コンパートメントへの挿入と該コンパートメントからの取出しとが不可能になっている；請求項３０に記載の実用的吸引掃除機。
【請求項３４】
該入口へ接続するべく形成されたフレキシブルなホースをさらに具備する、請求項３３に記載の実用的吸引掃除機。
【請求項３５】
該フレキシブルなホースが、第一端部と、該第一端部に対向している第二端部と、該第一及び第二端部を相互接続している本体とを有していて、該フレキシブルなホースは格納位置に位置決め可能であって、該格納位置において、該第一端部は該入口へ接続されていて、該本体は、該実用的吸引掃除機の側面周囲に巻きつけられ、該コンパートメントの下に延伸するようになっている、請求項３４に記載の実用的吸引掃除機。
【請求項３６】
該フレキシブルなホースの該第二端部が該出口へ接続されている、請求項３５に記載の実用的吸引掃除機。
【請求項３７】
該ホースのアセンブリが格納位置に位置決めされている場合、該本体は引張状態に維持されている、請求項３６に記載の実用的吸引掃除機。
【請求項３８】
該フレキシブルなホースの該第二端部が、該ハウジングに取りつけられたクリップに取りつけられるように形成されている、請求項３５に記載の実用的吸引掃除機。
【請求項３９】
該ホースのアセンブリが格納位置に位置決めされている場合、該本体は引張状態に維持されている、請求項３８に記載の実用的吸引掃除機。
【請求項４０】
該入口及び出口が該ハウジングにおける対向側に配置されていて、該フレキシブルなホースは格納位置に位置決め可能であり、該フレキシブルなホースの該第一端部は該入口へ接続され、かつ該フレキシブルなホースの該第一端部に対向する該第二端部は該出口へ接続されている、請求項３４に記載の実用的吸引掃除機。
【請求項４１】
冷却空気取入口と冷却空気吐出口が該ハウジングに形成されていて、該冷却空気吐出口は該出口に接続されているので、該出口を通過して流れる空気が、該冷却空気吐出口を横切って通過し、比較的低圧の領域を作り出していて、空気を該冷却空気吐出口から外へ吸出し、従って該モータの冷却をもたらすようになっている、請求項４０に記載の実用的吸引掃除機。
【請求項４２】
該冷却空気取入口が該入口近傍に位置決めされている、請求項４１に記載の実用的吸引掃除機。
【請求項４３】
該冷却空気取入口が、該入口周囲に同心的に位置決めされている、請求項４１に記載の実用的吸引掃除機。
【請求項４４】
該バッテリと互換可能な第二バッテリであって、該第二バッテリは、該バッテリと異なる電圧を有しており、該第二バッテリが該バッテリと交換される場合、該第二バッテリは、該電源への給電用直流電源である、第二バッテリをさらに具備する、請求項２８に記載の実用的吸引掃除機。
【請求項４５】
実用的吸引掃除機と電動工具とを含んでいる、バッテリ駆動工具セット操作方法が：
該電動工具からバッテリパックをはずす段階と；
該実用的吸引掃除機にコード無しの電源を提供するために、該バッテリパックを該実用的吸引掃除機へ接続する段階と；
を含んでいるバッテリ駆動工具セット操作方法。
【請求項４６】
該実用的吸引掃除機へ接続されていて電気コードであって、該実用的吸引掃除機を交流電源へ着脱可能に接続するべく形成されている電気コードを準備する段階と；
該バッテリパック及び該交流電源の一方からの電力を用いて、該実用的吸引掃除機を作動する段階と；
をさらに含んでいる、請求項４５に記載のバッテリ駆動工具セット操作方法。
【請求項４７】
該実用的吸引掃除機を作動する該段階が：
該電気コードが該交流電源に接続されている場合、該交流電源からの電力を用いて該実用的吸引掃除機を作動する段階と；
同様に、該バッテリパックからの電力を用いて該実用的吸引掃除機を作動する段階と；
を含んでいる、請求項４６に記載のバッテリ駆動工具セット操作方法。
【請求項４８】
キャニスタと、駆動ヘッドアセンブリと、遮断装置と、フィルタと、フィルタガスケットとを具備する実用的電気掃除機において：
該駆動ヘッドアセンブリは、キャニスタへ連結されていて、ファンと、該ファンに回転動力を提供するモータと、該ファンと該モータとを取りつけたハウジングとを有していて、該ハウジングがファン入口を含んでおり；
該遮断装置は、該駆動ヘッドアセンブリに取りつけられていて、該キャニスタにおける液体が所定体積を超過した場合、該ファンが該液体を該ファン入口の中へ吸引することを防止するために該遮断装置は形成されており；
該フィルタは、該ハウジングに取りつけられていて、かつ該ファン入口への空気流をろ過するために形成されており、該フィルタがフィルタフランジを含んでいて；
該フィルタガスケットは、該ハウジングに取りつけられていて、かつ該フィルタフランジに隣接して位置決めされており；
該フィルタフランジ及び該ファン入口の一方が、保持用タブを含んでいて、該フィルタフランジ及び該ファン入口の他方が、該保持用タブを受け入れるための保持用スロットを含んでおり、さらに該保持用タブ及び該保持用スロットお互いが係合した場合、該フィルタフランジが該ハウジングへ向かって軸方向に引き込まれ、該フィルタフランジを該フィルタガスケットに係合させるように、該保持用タブ及び該保持用スロットは形成されている；実用的吸引掃除機。
【請求項４９】
該保持用スロットが、該フィルタフランジ及び該ファン入口の他方における円周部分周囲に延在している、請求項４８に記載の実用的吸引掃除機。
【請求項５０】
該保持用スロットが渦巻形状である、請求項４９に記載の実用的吸引掃除機。
【発明の詳細な説明】
【技術分野】
【０００１】
本発明は、電気掃除機に関するもので、とくに改善された利便性と性能とを有しているＡＣ／ＤＣ駆動式手持携帯形の乾湿用吸引掃除機に関する。
【背景技術】
【０００２】
湿った及び乾いた物体の両方を吸込むことができる吸引掃除機は、一般に乾／湿用吸引掃除機として知られている。そのような乾湿用吸引掃除機は、技術的に公知なものであって、市場で種々サイズ、形状のものを入手できる。最近の消費者の傾向は、市場で入手可能で、多くの製造者が現在生産している比較的小容量で低価格のユニット及び／又は比較的大容量で高価格の本職用グレードユニットのような乾湿用吸引掃除機のコストを押し下げることに力点がおかれている。
【０００３】
低価格ユニットが、時に住宅建設における据付業者、サービス員及び職人のような職業的ユーザに使用されることがある。これらの職人は別の仕事場へ移る前に、仕事場を清掃する必要があり、彼等は、時に、これらのユニットとして一般的であるより小型で携帯可能なものを好む。しかしながら、これらのユニットにはいくつかの欠点のあることが知られている。
【０００４】
公知の乾湿用吸引掃除機の利便性にかかわる欠点の一つは、乾湿用吸引掃除機のセットアップに比較的時間がかかること、運搬時あるいは使用時にホースがよくはずれること、さらにアタッチメントがよくなくなることである。公知の乾湿用吸引掃除機及びアタッチメントがかさばるために、時に職人は、現場へあるいは現場からの乾湿用吸引掃除機を運搬することに専心しなければならない。
【０００５】
もう一つの欠点は、所定現場における電力の利用性に関するものである。新しい住宅建設において、電力会社からの電力が利用出来ない現場に当面することが一般的である。ある場合、近く（例えば隣人）から、長くて重い延長コードを介して電力を入手することが可能かも知れない。代りに、ポータブル発電機が必要とされるかも知れない。とくに職人は現場において１０分未満しか乾湿用吸引掃除機を使用しないことがほとんどであることを考慮すると、不便な重い延長コード、及び高価で不便なポータブル発電機は、職人にとって著しく好ましいものではない。
【０００６】
さらに他の欠点は、公知の乾湿用吸引掃除機におけるフィルタ装置に関するものである。これらのフィルタ装置は、一般に使い捨て式フィルタを使用していて、そのフィルタは、乾湿用吸引掃除機のふたに又はファンをおおって周囲に取りつけられた他のサポート構造体に固定的に取りつけられている。使い捨て式フィルタが、詰った場合、ファンを通過する空気流を著しく制限し、乾湿用吸引掃除機のホコリを吸引する能力を著しく損なう。しかしながら、時にフィルタの交換は職人に利用できなくて、乾湿用吸引掃除機は低下した効率で使用されている。公知のフィルタ装置の他の欠点は、フィルタを修理することの不便と十分でないろ過とであって、その修理には乾湿用吸引掃除機を分解しキャニスタの中味を現場で開くことを伴なうものであり、さらに、十分でないろ過は、乾湿用吸引掃除機を運転する場合、乾湿用吸引掃除機からホコリの放出を招くものである。
【特許文献１】米国特許第５１４４２１７号明細書
【特許文献２】米国特許第６４２７０７０号明細書
【特許文献３】米国特許第６４３１２８９号明細書
【特許文献４】米国特許第６３６３５７４号明細書
【特許文献５】米国特許第６４９６６８８号明細書
【発明の開示】
【発明が解決しようとする課題】
【０００７】
従って、改善された利便性と性能とを有する乾湿用吸引掃除機の必要性がある。
【課題を解決するための手段】
【０００８】
一つの形態において、本発明が実用的吸引掃除機を提供している。
実用的吸引掃除機は、キャニスタと、駆動ヘッドアセンブリと、遮断装置と、電気コードと、バッテリとを具備している。
該駆動ヘッドアセンブリは、キャニスタへ連結されていて、ファン入口を含んでいるファンと、該ファンに回転動力を提供するモータと、該モータに電力を供給する電源とを有しており；
該遮断装置は該駆動ヘッドアセンブリに取りつけられていて、該キャニスタにおける液体が所定体積を超過した場合、該ファンが該液体を該ファン入口の中へ吸引することを防止するために、該遮断装置は形成されており；
該電気コードは該電源へ接続されていて、ユーザが該電源を交流電源装置へ選択的に接続可能にするために、該電気コードが形成されており；
該バッテリは該電源へ接続されていて、該電源が交流電源から交流を受電できない場合、該電源に給電するための直流電源となっている。
【０００９】
もう一つの形態において、本発明が工具セットを提供している。
工具セットは、バッテリパックと、電動工具と、実用的吸引掃除機とを具備している。
該電動工具が、該バッテリパックを着脱可能に収納するためのレセプタクルアセンブリを有していて；
該実用的吸引掃除機が、キャニスタと、駆動ヘッドアセンブリと、遮断装置とを有していて、該駆動ヘッドアセンブリは、キャニスタへ連結されていて、ファン入口を含んでいるファンと、該ファンに回転動力を提供するモータと、該モータに電力を供給する電源とを有しており、該遮断装置は、該駆動ヘッドアセンブリに取りつけられていて、該キャニスタにおける液体が所定体積を超過した場合、該ファンが該液体を該ファン入口の中へ吸引することを防止するために該遮断装置は形成されており、該電源は該バッテリパックを着脱可能に収納するためのレセプタクルアセンブリを含んでいて；
該バッテリパックは、該電動工具と該実用的電気掃除機とのどちらかへ選択的に接続できる。
【００１０】
他の形態において、本発明が実用的吸引掃除機を提供している。
実用的吸引掃除機は、キャニスタと、駆動ヘッドアセンブリと、遮断装置と、バッテリとを具備している。
該駆動ヘッドアセンブリは、キャニスタへ連結されていて、ファン入口を含んでいるファンと、該ファンに回転動力を提供するモータと、該モータに電力を供給する電源とを有しており；
該遮断装置は、該駆動ヘッドアセンブリに取りつけられていて、該キャニスタにおける液体が所定体積を超過した場合、該ファンが該液体を該ファン入口の中へ吸引することを防止するために該遮断装置は形成されており；
該バッテリは、該電源へ接続されていて、該電源に給電用の直流電源を提供している。
【００１１】
本発明のさらなる用途は以下の詳細説明により明らかになるであろう。詳細な説明と特定な例とは、本発明の好適な実施態様を示しているけれど、説明を目的としているだけのものであって、本発明の範囲を限定するものでないことが理解されるべきである。
【００１２】
本発明におけるさらなる利点と特徴とが、添付図面と併せて以下の説明と特許請求の範囲とから明瞭になるであろう。
【発明を実施するための最良の形態】
【００１３】
図１において、本発明の教示にもとづいて作った携帯式乾湿用吸引掃除機が全体として符号１０で示されている。例示において、乾湿用吸引掃除機１０が駆動ヘッドアセンブリ１２、キャニスタアセンブリ１４、フィルタ装置１６、ホースアセンブリ１８、複数の従来形ホース端部アタッチメント２０、肩ひも２２、第一電気コード２４、第二電気コード２６及びバッテリパック２８を含んでいる。
【００１４】
図２において、駆動ヘッドアセンブリ１２は、キャニスタアセンブリ１４に取りはずし可能に取りつけられていてもよくて、かつハウジング４０、モータ４２、ファン４４及び制御装置４６を含んでいる。ハウジング４０が入口ポート５０と、出口ポート５２と、ハンドル５４と、中央キャビテー５６とを含んでいて、中央キャビテー５６の中に、モータ４２とファン４４と、制御装置４６とが収納されている。入口ポート５０は、フィルタ装置１６の一次側においてキャニスタアセンブリ１４へ接続されていてもよくて、一方出口ポート５２は、フィルタ装置１６の二次側においてキャニスタアセンブリ１４へ接続されている。入口ポート５０へ流入する空気は、キャニスタアセンブリ１４に流入し、出口ポート５２から流出する前にフィルタ装置１６を通過する。モータ４２と、モータ４２の出力シャフト（図示されていない）に回転するべく接続されたファン４４とは、出口ポート５２から空気を吐出するべく、従って入口ポートを介して駆動アセンブリ１２の中へ空気を吸引するべく協働している。
【００１５】
図３において、制御装置４６は、好ましくは、電気ソケット６０、第二電気ソケット６２、レセプタクルアセンブリ６４、電源６６、電流スイッチ６８及び充電回路７０を含んでいる。第一及び第二電気ソケット６０及び６２各々とレセプタクルアセンブリ６４とは、電気的に電源６６へ接続されていて、電力を伝えるべく形成されており、以下に詳述する。電源６６は、従来の方法でモータ４２と電源スイッチ６８とへ電気的に接続されていて、ユーザが選択的にあるいは必要に応じてモータ４２へ電力を供給したりしなかったりできるようになっている。
【００１６】
第一電気コード２４が好ましくは、従来形の電気アウトレット７６へ電気的に接続するべく作られた、従来形の差し込みプラグ７４と、第一電気ソケット６０へ電気的に接続するべく作られた、従来形の第一コネクタ端末７８とを含んでいる。従って、第一電気コード２４は、乾湿用吸引掃除機１０のユーザが、電源６６を交流（ＡＣ）電源へ接続することを可能にしている。
【００１７】
第二電気コード２６が好ましくは、自動車の従来形シガレットライタのソケット８６へ電気的に接続するべく作られた、従来形の円筒状プラグ端末８４と、第二電気ソケット６２へ電気的に接続するべく作られた、従来形の第二コネクタ端末８８とを含んでいる。従って、第二電気コード２６は、ユーザが電源６６を自動車の電源システム及びバッテリーのようなＤＣ電源へ接続することを可能にしている。
【００１８】
図３及び４の例示において、レセプタクルアセンブリ６４は、フレキシブルなガスケット９０を介してハウジング４０へフレキシブルに接続されている。好ましくは、ガスケット９０は、ゴムあるいは他のエラストマのようなフレキシブルな弾性材料で作られている。レセプタクルアセンブリ６４がバッテリパック２８を受け入れるべく形成されており、レセプタクルハウジング９４と、乾湿用吸引掃除機１０が落下した場合、バッテリパック２８に働らく衝撃を最小にするべく、レセプタクルハウジング９４に浮かせて配置されたコネクタ９６とを含んでいる。コネクタ９６は複数のターミナル（図示されていない）を有していて、そのターミナルの形状は、バッテリパック２８に取りつけたターミナル（図示されていない）に接触する形状のものである。好ましくは、バッテリパック２８、ターミナル、レセプタクルハウジング９４及びコネクタ９６は、特許文献１に開示された方法で作られていて、その開示内容を参考として包含するもので、ここに提示します。従ってレセプタクルアセンブリ６４は、ユーザが電源６６をバッテリパック２８へ接続することを可能にしているので、例えばＡＣあるいはＤＣ電源を利用できないかあるいはアクセスすることが困難な場合に、第一及び第二電気コード２４及び２６のどちらかを接続することなく、乾湿用吸引掃除機１０は作動できる。さらに好ましくは、電源６６は、従来技術において公知であるように、種々の異なる電圧（例えば１８Ｖ、１４Ｖ、１２Ｖ及び／又は９．６Ｖ）を有するバッテリパックと両立可能である。当業者においては、いずれの自動手段が乾湿用吸引掃除機１０用電源を選択するために使用されてもよいことは理解されるであろう。例えば、ユーザが手動で選択することを可能にするべく、従来形ロータリスイッチがＡＣ電源とＤＣ電源（第二電源コード２６から）とバッテリ２８との間に備えられてもよい。代わりに、自動スイッチ（トランジスタを備えているか、他の適切な電気装置のいずれかを備えている）が使用され、電源６６が、第一にＡＣ電源のような一つの電源タイプを求め、もしそれを利用できなければ、次に第二電源コード２６から“ＤＣ”電源を求め、その後でバッテリパック２８を求めるようになっていてもよい。
【００１９】
図３において、充電回路７０は、従来技術で公知な方法により、電源６６とレセプタクルアセンブリ６４とへ接続されている。充電回路７０は、従来技術で公知なように、異なる電圧を有するバッテリパックの充電を可能にしている。適切な充電回路の例が、特許文献２に開示されていて、その開示内容を参考として包含するもので、ここに提示します。
【００２０】
従って、モータ４２が運転されていない場合、ユーザは、コネクタ９６のターミナルをバッテリパック２８に取りつけられたターミナルに電気的に係合するように、バッテリパック２８をレセプタクルアセンブリ６４に載置することにより、及び乾湿用吸引掃除機１０に第一及び第二電気コード２４及び２６の一方を介して他の電源を供給することにより、バッテリパック２８を充電することができる。充電されると、バッテリパック２８をレセプタクルアセンブリ６４から取りはずし、特許文献２のオーディオ装置あるいは特許文献３のコード無しドリル／ドライバのような他の装置へ使用してもよい。
【００２１】
図２において、キャニスタアセンブリ１４が、好ましくはキャニスタ１００と、キャニスタ１００を駆動ヘッドアセンブリ１２に取りはずし可能に取りつけるラッチ装置１０２とを含んでいる。とくに例示のキャニスタは約７．５７dm3（約２ガロン）の容積を有しているけれど、当業者においてはキャニスタ１００はより大容積あるいはより小容積であってもよいことが理解されるであろう。
【００２２】
フィルタ装置１６は、駆動ヘッドアセンブリ１２に完全に取りつけられていてもよいけれど、特別な例示において、キャニスタ１００に担持されていて、プレナム１１０を含んでおり、そのプレナム１１０は、駆動ヘッド１２と、フロートボール１１２と、主フィルタ１１４と、第二フィルタ１１６とに、着脱的に取りつけ可能である。プレナム１１０は、空気が通過可能な、中空でケージ状の構造であってもよい。プレナム１１０は、主フィルタを保持し支持するようになっていて、さらにフロートボール１１２をほぼ垂直方向に保持しガイドするようになっている。キャニスタ内の液体が所定レベルに達した場合、フロートボール１１２は、フィルタ装置１６をファン４４から遮断（駆動アセンブリ１２を通過する空気流れを遮断）するためにプレナム１１０内部を自動的に上昇する。
【００２３】
主フィルタ１１４は、剛なプラスチック材料で形成されたフィルタ構造体（とくに図示しない）と、フィルタ構造体の少なくとも側面を完全に囲んでいる、布フィルタ材料（とくに図示しない）とを含んでいてもよい。布フィルタ材料は、好ましくは主フィルタがホコリやチリで詰まった場合にはずして取りかえるというよりは洗うことができるように、水洗可能な材料で作られている。当業者においては理解されるように、主フィルタ１１４は、オープンセルフォームあるいは従来形口紙（この場合主フィルタ１１４は使い捨て式であろう）を含めた、適切ないずれのフィルタ材料で作られていてもよい。選択的に、前置フィルタ構造体（図示されていない）が使用されてもよい。適切な前置フィルタ構造体は、ホコリを含んだ空気が主フィルタ１１４に接触する以前にホコリやチリを集じんするようになっている、ワイヤメッシュ若しくはプラスチック、又はオープンセルフォームを含んでいる。
【００２４】
選択的でありかつ特別な例において駆動ヘッドアセンブリ１２により担持されて備えられている、第二フィルタ１１６は、主フィルタ１１４の上流に配置されていて、かつ一般により密なメッシュあるいは空間率であって、比較的微細なホコリの粒子が出口ポート５２から放出される以前に集じんするようになっている。第二フィルタ１１６は、好ましくは駆動ヘッドアセンブリ１２からキャニスタアセンブリを分解することなく、フィルタ装置１６から取りはずし可能である。例示において、アクセスポート１３０がハウジング４０の中で主フィルタ１１４とファン４４との間に形成されている。第二フィルタ１１６がアクセスポート１３０に収納される場合、ハウジング４０に蝶番取りつけされてもよいガスケット付きドアー１３２は、アクセスポート１３０をシールするために閉じられ、ファン４４へ流れる空気が、主フィルタ１１４へ、続いて第二フィルタ１１６へ当接することを保証している。第二フィルタ１１６の目的は、乾湿用吸引掃除機１０が作動される場合ホコリとチリとが出口ポート５２から放出されないように、乾湿用吸引掃除機１０を通過する空気の微細ろ過を提供することである。好ましくは、出口ポート５２からの比較的微細なホコリの放出が問題ない場合、乾湿用吸引掃除機１０は第二フィルタ１１６なしで使用してもよい。
【００２５】
図１及び２において、ホースアセンブリ１８は、好ましくは入口ポート５０へ固定的に接続されたフレキシブル真空ホースである。好ましくはホースアセンブリ１８は、少なくとも部分的に入口ポート５０の中へ引きもどし可能であって、ホースアセンブリ１８を保管するために便利な手段を提供するようになっている。代りに、ホースアセンブリ１８は、入口ポート５０（真空用）へのあるいは出口ポート５２（ブロー用）への切換ベースに取りはずし可能に摩擦取りつけされていてもよい。
【００２６】
ホースアセンブリ１８の遠位端部は、いずれのホース端部アタッチメント２０に摩擦取りつけ可能であってもよい。そのようなホース端部アタッチメント２０は、その構造及び使用についての説明は必要ないほど、従来技術において公知である。ホースアタッチメント２０が紛失するのを防止するために、複数の受け穴１４０が、ハウジング４０及び／又はキャニスタ１００に形成されていてもよい。受け穴１４０は、ホース端部アタッチメント２０の関連する一つに、摩擦的に係合するべく作られていてもよい。使用しない場合、各ホース端部アタッチメント２０は、関連する受け穴１４０を介してハウジング４０及び／又はキャニスタ１００へ接続してもよい。
【００２７】
選択的である肩かけひも２２は、駆動ヘッドアセンブリ１２に取りつけられていて、ユーザが乾湿用吸引掃除機１０を肩にかけることを可能にしていて、従ってユーザの手は、他の器具を運搬、あるいは乾湿用吸引掃除機１０を使用する場合のホースアセンブリ１８の操作を含めた、他の仕事に使ってもよいようになっている。例示の実施態様において、肩かけひも２２は、ハウジング４０と一体成形されたハンドル５４に取りつけられている。
【００２８】
前述したように、ホースアセンブリ１８は、好ましくは入口ポート５０へ固定的に接続されていて、従来の方法（すなわち、ホースアセンブリ１８を出口ポートへ接続する）で乾湿用吸引掃除機１０をブロアーとして使用することができるような出口ポート５２には、接続されないようになっている。図１、５及び６に最もよく示されているように、乾湿用吸引掃除機１０は、ファン４４への空気流れを選択的に制御する弁アセンブリ１５０を含んでいてもよい。より詳しくは、弁アセンブリ１５０は、アクチュエータ１５４と弁要素１５６とを含んでいる二位置四方弁であってもよい。例示の実施態様において、アクチェータ１５４は、第一設定１６０と第二設定１６２との間で可動なロータリ形アクチュエータである。弁要素１５６は、アクチュエータ１５４により回転するべく連結されていて、アクチュエータ１５４が第一設定１６０に位置決めされる場合、前述したように空気は、入口ポート５０から吸引され、フィルタ装置１６を通過しファン４４に流入するようになっている。アクチュエータ１５４が第二設定１６２に位置決めされる場合、弁要素１５６は、移動し（例えば例示方向に回転）、出口ポート５２とフィルタ装置１６の入口側との流体連通をもたらし、かつ入口ポート５０とファン４４吐出側との流体連通をもたらす。
【００２９】
当業者においては、モータ４２、ファン４４及び主フィルタ１１４のような、乾湿用吸引掃除機１０の種々の構成部品は、従来技術において公知な方法で、作られ及び／又は組立てられてもよいことが理解されるであろう。そのような構成部品、構造体及び配置は、例えば特許文献４に例示され説明されていて、その開示内容を参考としてここに包含するものでここに提示します。
【００３０】
図７において、本発明の教示にもとづいて作られた第二乾湿用吸引掃除機が全体として符号１０ａで示されている。概略的に図示されているけれど、フィルタ装置１６ａがキャニスタアセンブリ１４ａと一体化されている点をのぞいて、第二乾湿用吸引掃除機１０ａは、図１における乾湿用吸引掃除機１０とほぼ同様なものである。より詳細にはプレナム１１０ａがキャニスタ１００ａへ接続されていて、かつ主フィルタ１１４ａがプレナム１１０ａを完全におおっている。駆動ヘッドアセンブリ１２ａがキャニスタアセンブリ１４ａへ連結される場合、ガスケット１７０は、主フィルタ１１４ａと駆動ヘッドアセンブリ１２ａとの間で圧縮され、従って主フィルタ１１４ａを駆動ヘッドアセンブリ１２ａにシール的に係合する。
【００３１】
キャニスタ１００ａを空にする場合、駆動ヘッドアセンブリ１２ａをキャニスタ１００ａからはずし、主フィルタ１１４ａをキャニスタ１００ａから取りはずし、そしてキャニスタ１００ａを引くり返しその中味を空にする。主フィルタ１１４と同様に、主フィルタ１１４ａが、好ましくは少なくとも部分的に水洗可能で再使用可能なフィルタ材料から作られていて、従ってフィルタの交換を省いている。この構造には利点があって、すべての汚れる構成部品は、集中して配置されていて、取りはずす場合に直立状態になっていることである。フィルタ装置が駆動ヘッドへ接続されている従来形乾湿用吸引掃除機と対照的に、駆動ヘッドを取りはずした場合、ホコリとチリとはキャニスタ１００ａの中に入ったままである。さらに、主フィルタ１１４ａの取りはずし及び／又は交換は迅速で効率的なものである。というのは駆動ヘッドアセンブリ１２ａに対する主フィルタ１１４ａの位置を固定するための留め具がないからである。
【００３２】
図８及び９において、本発明の教示にもとづいてられた他の乾湿用吸引掃除機が全体として符号１０ｂで示されている。概略的に図示されているけれど、駆動ヘッドアセンブリ１２ｂがキャニスタアセンブリ１４ｂを収納しているハウジング１８０に（例えば蝶番１７９を介して）回動可能に取りつけられている点をのぞいて、乾湿用吸引掃除機１０ｂは図７における乾湿用吸引掃除機１０ａとほぼ同様なものである。
【００３３】
キャニスタアセンブリ１４ｂをハウジング１８０から取りはずすか、又はハウジング１８０へ挿入する場合、図９に示すように駆動ヘッドアセンブリ１２ｂは上向きに回動される。キャニスタアセンブリ１４ｂがハウジング１８０に着座されると、駆動ヘッドアセンブリ１２ｂが下向きに回動され、駆動ヘッドアセンブリ１２ｂに担持されているガスケット１８２はキャニスタ１００ｂにシール的に係合する。当業者においては、ガスケット１８２が代わりにキャニスタ１００ｂにより担持されていてもよいことは理解されるであろう。従来形のラッチ機構１８３が、駆動ヘッドアセンブリ１２ｂをキャニスタアセンブリ１４ｂに取りつけるために使用されていてもよい。
【００３４】
図１０及び１１において、本発明の教示にもとづいてられた第四乾湿用吸引掃除機が全体として符号１０ｃで示されている。概略的に図示されているけれど、駆動ヘッドアセンブリ１２ｃがキャニスタアセンブリ１４ｃを収納しているハウジング１８０ｃに固定的に取りつけられている点をのぞいて、乾湿用吸引掃除機１０ｃは図８及び９における乾湿用吸引掃除機１０ｂとほぼ同様なものである。従ってキャニスタアセンブリ１４ｃは、ハウジング１８０ｃからキャニスタアセンブリ１４ｃを外へ滑動することにより取りはずされ、ハウジング１８０ｃにキャニスタアセンブリ１４ｃを中へ滑動することにより挿入される。
【００３５】
図１２及び１３において、本発明の教示にもとづいてられた他の乾湿用吸引掃除機が全体として符号１０ｄで示されている。概略的に図示されているけれど、第二フィルタ１１６ｄがフィルタ装置１６ｄに組み込まれている点をのぞいて、乾湿用吸引掃除機１０ｄは、図１０及び１１における乾湿用吸引掃除機１０ｃとほぼ同様なものである。図５に示す第二フィルタ１１６と同じく、第二フィルタ１１６ｄは、ファン４４と主フィルタ１１４ｄとの間に配置されていてもよくてさらに比較的微細な稠密体／メッシュであって、乾湿用吸引掃除機１０ｄを運転する場合、ホコリ及びチリは出口ポート５２から放出されないようになっている。利点のあることに、第二フィルタ１１６ｄはキャニスタアセンブリ１４ｄをはずすことなく、取りはずしかつせい掃あるいは交換することができる。
【００３６】
図１４のＡにおいて、本発明の教示にもとづき作られた第六乾湿用吸引掃除機が全体として１０ｅで図示されている。乾湿用吸引掃除機１０ｅは、好ましくは駆動ヘッドアセンブリ１２ｅ、キャニスタアセンブリ１４ｅ、フィルタ装置１６ｅ、ホースアセンブリ１８ｅ、複数の従来形ホースアタッチメント２０ｅ、肩ひも２２ｅ、電気コード２４ｅ及びバッテリパック２８ｅを含んでいる。
【００３７】
図１５において、駆動ヘッドアセンブリ１２ｅが、取りはずし可能にキャニスタアセンブリ１４ｅに取りつけられていて、ハウジング４０ｅ、モータ４２ｅ、ファン４４ｅ及び制御装置４６ｅを含んでいる。ハウジング４０ｅは一つ以上の入口ポート５０ｅ、出口ポート５２ｅ、ハンドル５４ｅ及び中央キャビテー５６ｅを形成していて、その中央キャビテー５６ｅの中に、モータ４２ｅ、ファン４４ｅ及び制御装置４６ｅが収納されている。入口ポート５０ｅは、キャニスタアセンブリ１４ｅの中のフィルタ装置１６ｅの一次側に接続していて、一方出口ポート５２ｅは、駆動ヘッドアセンブリ１２ｅの空気出口でフィルタ装置１６ｅの二次側に接続している。入口ポート５０ｅへ流入する空気は、キャニスタ１４ｅの中へ流入し、フィルタ装置１６ｅを通過して出口ポート５２ｅへ流出する。モータ４２ｅと、回転するべくモータ４２ｅの出力シャフト（図示されていない）へ連結されたファン４４ｅとは好ましくは空気を出口ポートから吐出するべく協働し、従って入口ポート５０ｅを介してキャニスタアセンブリ１４ｅへ空気を吸引する。
【００３８】
例示において、ハウジング４０ｅは、作動時におけるモータ４２ｅの冷却を補助するべく形成されていてもよい。より詳しくは、ハウジング４０ｅが一つ以上の冷却用入口穴５００及び一つ以上の冷却用出口孔５０２を形成していてもよくて、冷却用入口及び出口穴５００及び５０２の両方は中央キャビテー５６ｅと流体通過していて、以下に詳述する。例示の実施態様において、単一の冷却用入口穴５００及び単一の冷却用出口穴５０２が使用されている。図１６及び１７において、冷却用入口穴５００は、入口ポート５０ｅ周囲に同心的に配置され、従ってハウジング４０ｅによりおおわれているが、当業者においては、一つ以上の冷却用入口穴５００はハウジング４０ｅにおける他の位置に配置されてもよいことは理解されるであろう。冷却用出口穴５０２は、出口ポート５２ｅを形成しているハウジング４０ｅの部分に配置されていてもよい。本例において、冷却用出口穴５０２は、突出部５１２の背向部５１０を通って延在していて、出口ポート５２ｅの壁面５１４に形成されており、突出部５１２の長手軸が出口ポート５２ｅを通過する空気流れにほぼ平行になるように、配向されている。
【００３９】
乾湿用吸引掃除機１０ｅは、作動時に出口ポート５２ｅを通過する空気流れが、冷却用出口穴５０２の近傍で比較的低圧の静圧領域５２０を作るように形成されていて、空気が中央キャビテー５６ｅから冷却用出口穴５０２を通過して、出口ポート５２ｅを流れている空気と合流するようになっている。中央キャビテー５６ｅから分流した空気は、同様に新しい空気を冷却用入口穴５００を介して中央キャビテー５６ｅに吸引する。中央キャビテー５６ｅにおける空気の入替は、モータ４２ｅが比較的高レベルの熱を放散することを可能にしている。より詳しくは、中央キャビテー５６ｅを通過する空気は、モータ４２ｅに対して流れる空気流れを可能にしていて、従ってモータ４２ｅが対流熱伝達メカニズムにより熱を放散することを可能にしている。
【００４０】
図１８において、制御装置４６ｅは好ましくは、レセプタクルアセンブリ６４ｅ、電源６６ｅ、電流スイッチ６８ｅ及び選択的な充電回路７０ｅを含んでいる。レセプタクルアセンブリ６４ｅは、電気的に電源６６ｅへ接続されていて、電力を伝えるべく形成されており、以下に詳述する。電源６６ｅは、モータ４２ｅと電源スイッチ６８ｅへ電気的に接続されていて、ユーザが選択的にあるいは必要に応じてモータ４２ｅへ電力を供給したりしなかったりできるようになっている。
【００４１】
電気コード２４ｅが好ましくは、従来形の電気アウトレット７６ｅへ電気的に接続するべく作られた従来形の差し込みプラグ７４ｅと、従来の方法で電源６６ｅへ電気的に接続するべく作られた対向端末（図示されていない）とを含んでいる。従って、電気コード２４ｅは、乾湿用吸引掃除機１０のユーザが、電源６６ｅを別の（ＡＣ）電源へ接続することを可能にしている。
【００４２】
レセプタクルアセンブリ６４ｅは図３及び４におけるレセプタクルアセンブリ６４とほぼ同様なものであって、詳細には説明しない。例示において、レセプタクルアセンブリ４６ｅは図１９に示されていて、ハウジング４０ｅに接続されるかあるいは一体に形成された、バッテリエンクロージャ５５０が配置されている。ふた５５２は、バッテリエンクロージャ５５０に蝶番取りつけされていて、さらにバッテリクロージャ５５０をほぼ閉とする閉位置（図１４）と、バッテリクロージャ５５０をほぼ開とする開位置との間で可動である。オーバーセンター・カムラッチ機構５５６が、ふた５５２を選択的に閉位置に保持するべく、使用されてもよい。選択的なバッテリパックガスケット５６０とリーフスプリング５６２とが使用されてもよい。バッテリパックガスケット５６０は、バッテリパック２８ｅとレセプタクルアセンブリ６４ｅ及びバッテリエンクロージャ５５０の一方あるいは両方との間に配置されていてもよい（すなわち、後者の例においては複数のバッテリパックガスケット５６０）。一方リーフスプリング５６２がふた５５２に取りつけられ、かつふた５５２が閉位置に位置決めされる場合、バッテリパック２８ｅをレセプタクルアセンブリ６４ｅに電気的に接触し、かつバッテリパックガスケット５６０とシール的接触するように配置されていてもよい。バッテリエンクロージャ５５０及び／又はふた５５２を貫通しているベント用穴５６４（図２５）があるにもかかわらず、バッテリパックガスケット５６０は、レセプタクルアセンブリ１６４ｅ及びハウジング４０ｅの内部への液体の侵入を防止している。
【００４３】
レセプタクルアセンブリ６４ｅは、ユーザが、例えばＡＣあるいはＤＣ電源を利用できないかあるいはアクセスすることが困難な場合に、乾湿用吸引掃除機１０を操作できるように、電源６６ｅをバッテリパック２８ｅへ接続することを可能にしている。さらに好ましくは、電源６６ｅは、種々の異なる電圧（例えば１８Ｖ、１４Ｖ、１２Ｖ及び／又は９．６Ｖ）を有するバッテリパックと両立可能である。言いかえると、好ましくは、第一出力電圧を有している第一バッテリパックと、第一出力電圧とは異なる第二出力電圧を有している第二バッテリパックとが電源６６ｅを充電するべく交換可能に使用できるように、電源６６ｅが形成されている。例示において、電源６６ｅはＡＣ／ＤＣコンバータ６００及びＤＣ／ＤＣコンバータ６０２を含んでいる。ＡＣ／ＤＣコンバータ６００が、好ましくは、電磁気的インタフェースサブレッションモジュール６１０と、電気コード２４ｅからの入力電力整流し変更するための整流器６１２と、整流器６１２により提供された整流された（すなわち直流）電流をパルス変調するための、スイッチング電源６１４とを有している。スイッチング電源６１４はモータ４２ｅへの出力を制御するべく、スイッチ（オン及びオフ）する。“オン”及び“オフ”時各々の間隔を制御することにより、スイッチング電源６１４は所望する電圧の電力をモータへ作用することができる。フィードバックループ６２０は、より精度の高い電圧制御をするために、電源６６ｅに選択的に含まれていてもよい。同じく、ＤＣ／ＤＣコンバータ６０２は、ＡＣ／ＤＣコンバータ６００のスイッチング電源６１４と同様のスイッチング電源６２４を含んでいてもよくて、すなわちスイッチング電源６１４は、モータ４２ｅへの出力を制御するために、従って所望する電圧の電力をモータ４２ｅへ作用するために、スイッチ（オン及びオフ）をしている。従って、バッテリパック２８ｅの電圧とは関係なく、比較的一定電圧の電力をモータ４２ｅへ供給することができる。
【００４４】
電源６６ｅが、自動的に乾湿用吸引掃除機１０用の電源を選択するための、スイッチ装置６３０を含んでいてもよい。図２１のＡにおいて、スイッチ装置６３０は、選択的にＤＣ／ＤＣコンバータ６０２と一体化されていて、例えば積分回路６４０、第一及び第二抵抗器６４２及び６４４それぞれ及びトランジスタ６４６を含んでいてもよい。積分回路６４０は、もしＡＣ／ＤＣコンバータ６００から電力を受電すると、積分回路６４０がトランジスタ６４６を“オフ”とし、バッテリパック２８ｅからの電力はモータ４２ｅへ伝達されないようになっている。従って、もし乾湿用吸引掃除機１０が前述したように別の電力源に接続されていないなら、バッテリパック２８ｅが乾湿用吸引掃除機１０ｅを駆動するように、スイッチ装置６３０が形成されていてもよい。
【００４５】
図２１のＢにおいて、別の電源６６ｅ′が例示されている。電源６６ｅ′は、図２１のＡにおける電源６６ｅとは異なっていて、スイッチ装置６３０がＡＣ／ＤＣコンバータ６００へ接続されている。より詳しくは、スイッチ装置６３０が、第一及び第二接点６３０−２、６３０−３それぞれを備えたリレー６３０−１であって、その接点は、電力の流れを制御するために使用される。リレー６３０−１は通常状態で示されていて、モータ４２ｅからのリード線６３０−４が、第一接点６３０−２へ接点されており、電気的にＤＣ／ＤＣコンバータ６０２へ（電源スイッチ６８ｅを介して）電気的に接続されている。もしＡＣ／ＤＣコンバータ６００がリレー６３０−１へ（例示において電源スイッチ６８ｅを介して）電力を供給しなければ、リレー６３０−１は通常状態を維持している。乾湿用吸引掃除機１０ｅが交流電源へ接続され、かつ電源スイッチ６８ｅがオンされる場合、リレー６３０−１はモータ４２ｅからのリード線６３０−４を第二接点６３０−３へ電気的に接続し、ＡＣ／ＤＣコンバータ６００へ（電源スイッチ６８ｅを介して）接続する。当業者においては、電源は広範な形態において異なって作られてもよくて、本出願に説明され例示された特定の例は例示のためだけのものであって限定することを意図したものではないことが、本開示から理解されるであろう。
【００４６】
図１８において、充電回路７０ｅは、電源６６ｅとレセプタクルアセンブリ６４ｅとへ接続されている。充電回路７０ｅは、従来技術で公知なように、異なる電圧を有するバッテリパックの充電を可能にしている。適切な充電回路の例が、特許文献２及び５に開示されていて、その開示内容を参考として包含するもので、ここに提示します。
【００４７】
従って、レセプタクルアセンブリ６４ｅのコネクタ（図示されていない）のターミナル（図示されていない）が、バッテリパック２８ｅの関連するターミナル（図示されていない）に係合するように、バッテリパック２８ｅをレセプタクルアセンブリ６４ｅに置くことにより、電源６６ｅが交流電源へ接続されている場合、ユーザはバッテリパック２８ｅを充電することができる。バッテリパック２８ｅは、充電されると、乾湿用吸引掃除機１０ｅを駆動するか、又はレセプタクルアセンブリ６４ｅから取りはずされ、特許文献２のオーディオ装置あるいは特許文献３のコード無しドリル／ドライバのような他の装置に使用されてもよい。
【００４８】
図１４のＢにおいて、ハウジング４０ｅは、電源スイッチ６８が配置される凹部４１ｅを画成するために形成されてもよい。例示において、電源スイッチ６８ｅはトグルスイッチであってもよい。
【００４９】
図１４のＡにおいて、キャニスタアセンブリ１４ｅが、好ましくはキャニスタ１００ｅと、キャニスタ１００ｅを駆動ヘッドアセンブリ１２ｅに取りはずし可能に取りつける一対のオーバセンタカムラッチ７００を使用しているオーバーセンタカムラッチ装置１０２ｅとを含んでいる。とくに例示のキャニスタ１００ｅは約７．５７dm3（約２ガロン）の容積を有しているけれど、当業者においてはキャニスタ１００ｅはより大容積あるいはより小容積であってもよいことが理解されるであろう。好ましくは、キャニスタアセンブリ１４ｅがリザーバ排出手段１０１ｅも含んでいて、そのリザーバ排出手段１０１ｅは、駆動ヘッドアセンブリ１２ｅをキャニスタアセンブリ１２ｅからはずすことなく、液体をキャニスタ１００ｅの中から排出するようになっている。リザーバ排出手段１０１ｅは、ボール弁あるいはゲート弁のような弁（図示されていない）であってもよい。例示において、リザーバ排出装置１０１は、ねじ付きホース１０１−１、ガスケット１０１−２及びねじ付きキャップ１０１−３を含んでいる。ねじ付きホース１０１−１はキャニスタ１００ｅから外向きに延伸していて、キャニスタ１００ｅの外表面の少なくとも一部の周囲に螺合している。ねじ付きキャップ１０１−３は、ねじ付きホース１０１−１に螺合的に係合するべく形成された、内ねじを含んでいる。例示において、弾性材料あるいはエラストマ材料から作られたガスケット１０１−２が、ねじ付きホース１０１−１とねじ付きキャップ１０１−３の内面との間に配置されていて；ねじ付きキャップ１０１−３がねじ付きホース１０１−１に対し締めつけられる場合、ガスケット１０１−２は、ねじ付きホース１０１−１とねじ付きキャップ１０１−３との端部にシール的に係合する。
【００５０】
図１のフィルタ１６と対照的に、フィルタ装置１６ｅは、図１５に示すように完全に駆動ヘッドアセンブリ１２ｅに担持されている。フィルタ装置１６ｅが遮断弁７４０を含んでいて、主フィルタ１１４ｅ及び選択的な第二フィルタ１１６ｅを含んでいる。例示において、第二フィルタ１１６ｅはファン入口７４２へ接続された布材料のパッドであってもよいけれど、メッシュ又はスクリーン材料で作られるか、若しくは主フィルタ１１４ｅのろ過能力によるけれども省かれてもよい。第二フィルタ１１６ｅはファン４４ｅの後流点（下流）で、駆動ヘッドアセンブリ１２ｅへ接続されていてもよい。
【００５１】
遮断装置７４０は、駆動ヘッドアセンブリ１２ｅに取りつけられていて、キャニスタアセンブリ１４ｅにおける液体体積が所定レベルを越えた場合、ファン４４ｅが液体をファン入口７４２へ吸引することを防止するべく、遮断弁７４０が形成されている。遮断装置７４０は、種々の形で形成されてもよくて、かつ例えば、キャニスタアセンブリ１４ｅにおける液体体積が所定体積をうわまわったことに応答して、モータ４２ｅへの電力供給を回避しあるいはファン入口７４２を閉止してもよい。例示において、遮断装置７４０はプレナム１１０ｅとフロート１１２ｅとを含んでいる。プレナム１１０ｅは、空気が通過して流れかつフロート１１２ｅをほぼ垂直軸に沿って保持しガイドする、中空でかご状構造であってもよい。例示において中空球体として示されているフロート１１２ｅは、キャニスタ１００ｅにおける液体が所定レベルに達した場合、プレナム１１０ｅ内を自動的に上昇しファン入口７４２ｅを閉止している（従ってファン４４ｅへ流入し駆動アセンブリヘッド１２ｅを通過する空気流れを停止している）。同業者においては、本開示から、フロート１１２ｅは、球体形状あるいは閉じた形状でなくてもよいことが理解されるであろう。例えば、フロート１１２ｅは一方の端部が閉じたほぼ円筒形状であってもよい。
【００５２】
主フィルタ１１４ｅは、フィルタボデー７６０、内部サポート構造体７６２、下部エンドキャップ７６４及び上部エンドキャップ７６６を含んでいてもよい。フィルタボデー７６０は、紙あるいは布を含む適切なフィルタ材料で作られていてもよい。しかしながら、例示において、フィルタボデーは、空気と蒸気とに通気性のあるプリーツ材料であるけれど、液体の浸透あるいは通過に対しては抵抗があるので、フィルタボデー７６０は水洗で容易に洗浄できる。選択的にフィルタボデー７６０を作っている材料は、疎水性及び／又は親油性であるので、フィルタボデー７６０は、キャニスタアセンブリ１４ｅに吸引される水及び／又は油により湿らない。出願者の試験は、フィルタボデー７６０にとくに適切な材料としては、拡大稠密ＰＴＦＥ部材に接着したフィルタ媒体サポートから構成されるものが、とくに適切な材料であることを示していて、そのような適切な材料の一つは、米国メリーランド州エルトン（Elton）の W.L.Gore & Associates, a Delaware Corporation 製のＧｏｒｅ  Ｗｅｔ／Ｄｒｙ  Ｆｉｌｔｅｒ  Ｐｒｏｄｕｃｔｓである。選択的に、フィルタボデー７６０は、ＨＥＰＡ（空気分子の高効率）ろ過作用又はＵＬＰＡ（極微量の空気通気）ろ過作用を提供するべく形成されていてもよい。
【００５３】
内部サポート構造体７６２は、フィルタボデー７６０の内周囲に配置され、かつ下部及び上部エンドキャップ７６４及び７６６の両方あるいは一方へ固定的に接続された、かご状構造体であってもよい。内部サポート構造体７６２は、乾湿用吸引掃除機１０ｅの運転時にフィルタボデー７６０を軸方向及び半径方向に支持するべく形成されていて、従ってフィルタボデー７６０が、フィルタボデー７６０の内外面間の圧力差に応答して、破損あるいは変形することを防止するようになっている。
【００５４】
下部エンドキャップ７６４は、剛性材料で作られかつフィルタボデー７６０の下端部にシール的に接着されたプレート状構造体である。代りに、下部エンドキャップ７６４が、フィルタボデー７６０を作っている材料で全体あるいは部分的に作られていてもよい。
【００５５】
上部エンドキャップ７６６は、フィルタボデー７６０の上端部にシール的に接着された、環状フランジであってもよい。図１５及び２２−２４において、上部エンドキャップ７６６は、好ましくはボデー７７０と、シール係合構造体７７４と、複数の保持用タブ７７とを含んでいて、ボデー７７０は、主フィルタ１１４ｅが駆動ヘッドアセンブリ１２ｅへ接続される場合貫通するプレナム１１０ｅを受け入れる、受け用穴７７２を形成しており、シール係合構造体７７４は、ボデー７７０から軸方向に延伸し、かつ受け穴７７２とほぼ同心に配向されていて、保持用タブ７７６は、ボデー７７０の縁周囲を円周上で離間し、かつボデーから半径方向外向きに延伸している。
【００５６】
シール係合構造体７７４が、対応するフィルタガスケット７８０を係合するべく寸法化合物されていて、そのフィルタガスケット７８０は、エラストマ材料で作られ、かつ、ハウジング４０ｅの下表面に隣接してファン入口７４２周囲に配置されている。例示の実施態様において、フィルタガスケット７８０は、ハウジング４０ｅへ固定的に接続されているが、代りに上部エンドキャップ７６６へ固定的に接続されるか、又はハウジング４０ｅ若しくは上部エンドキャップ７６６へ取りはずし可能に接続されていてもよい。
【００５７】
図２５及び２６において、保持用タブ７７６は、ハウジング４０ｅにおけるファン入口７４２の近傍領域に形成されている、対応する保持用スロット７９０と嵌合的に係合するべく形成されてもよい。例示において、保持用タブ７７６は、ほぼ平らな上面７９２と、テーパ付き下面７９４と、係合部７９６とを有している。
【００５８】
保持用スロット７９０は、カラー８０２の内面８００に形成されていてもよくて、そのカラー８０２は、ハウジング４０ｅの底面からほぼ垂直にファン入口７４２に同心的に延伸している。各保持用スロット７９が第一部分８１０と第二部分８１２とを備えたほぼＬ字形であって、第一部分８１０は、保持用タブ７７６の対応する一つを軸方向に受け入れるべく形成されていて、第二部分８１２は、カラー８０２の円周部分を囲んで延在している。第二部分８１２が、保持用タブ７７６の対応する一つの下面７９４に係合するべく形成された、係合面８１４を含んでいる。例示において、係合面８１４が、テーパ付きであって、さらにノッチ状保持部分８１６を含んでいて、そのノッチ状保持部分８１６は、保持用タブ７７６の対応する一つの係合部分７９６を受け入れるべく形成されている。
【００５９】
図２２、２３及び２６において、主フィルタ１１４ｅがハウジング１４ｅへ接続される場合、主フィルタ１１４ｅはプレナム１１０ｅをおおって取りつけられ、さらに保持用タブ７７６は各々、関連する保持用スロット７９０の第一部分８１０にそう入される。続いて、主フィルタ１１４ｅは、回転され、保持用タブ７７６を保持用スロット７９０の第二部分８１２の中へ移動する。主フィルタ１１４ｅの十分な回転により、保持用タブ７７６各々の係合部分７９６は、関連する保持用部分８１６に接続され（すなわち、例示の関連する保持用部分８１６の中へ受け入れられ）、従って主フィルタ１１４ｅの反対方向への回転を阻止し、乾湿用吸引掃除機１０ｅの運転中に、主フィルタ１１４ｅがハウジング４０ｅと係合解除しないようにしている。
【００６０】
主フィルタ１１４ｅが回転する場合、対応するタブ７７６におけるテーパ付き下面７９４とテーパ付き係合面８１４とは、主フィルタ１１４ｅがハウジング４０ｅへ向けて軸方向へ移動するべく、協働している。この方法において、シール係合構造体７７４が、フィルタガスケット７８０とシール係合するべく押し込まれ、従って上部エンドキャップ７６６とハウジングとの間の点からのファン４４ｅへの液体の浸透が阻止されている。ハウジング４０ｅに対する主フィルタ１１４ｅのシール能力は、ＨＥＡＰあるいはＵＬＰＡフィルタ材料が使用されている場合特に重要なことである。というのは、フィルタガスケット７８０もホコリがハウジング４０ｅと上部エンドキャップ７６６との間から侵入することを阻止しているからである。
【００６１】
例示において、保持用スロット７９０の第二部分８１２と保持用タブ７７６のテーパ付き下面７９４とには、テーパが付いていて、主フィルタ１１４ｅがハウジング４０ｅに対し回転する場合における、主フィルタ１１４ｅの軸方向移動を容易するだけでなく、弾力性フィルタガスケット７８０により保持用タブ７７６の幅全体にわたって作用する荷重を分散するようになっている。しかしながら当業者においては、保持用タブ７７６の下面７９４はテーパ付きにする必要がなくて、代わりに保持用タブ７７６及び保持用スロット７９０は、それぞれハウジング４０ｅ及び上部エンドキャップ７６６に形式されていてもよいことが理解されるであろう。
【００６２】
図１５及び図２７において、ホースアセンブリ１８ｅが、好ましくは取りはずし可能に入口ポート５０ｅあるいは出口ポート５２ｅのどちらかに接続された、フレキシブルな真空ホースである。例示において、ホースアセンブリ１８ｅが、好ましくはテーパ付き円筒状ボデー８５２と一対のアタッチメントラグ８５４とを備えたカップリング端部８５０を含んでいる。テーパ付き円筒状ボデー８５２は、入口及び出口ポート５０ｅ及び５２ｅの所望する一方に、挿入及び摩擦係合するべく作られている。アタッチメントラグ８５４は、テーパ付き円筒状ボデー８５２から外向きに延伸していて、かつ入口及び出口ポート５０ｅ及び５２ｅの壁面に形式された対応するラグスロット８６０に受け入れられるべく形成されている。図１５及び１６に最もよく図示されているようにラグスロット８６０各々は、挿入部分８６４と保持用部分８６６とを有するＬあるいはＪ字形であって、その挿入部分８６４は、カップリング端部８５０が関連する入口あるいは出口ポート５０ｅあるいは５２ｅの中へ軸方向に挿入される場合、関連するアタッチメントラグ８５４の一つを受け入れており、その保持用部分８６６は関連する入口あるいは出口ポート５０ｅあるいは５２ｅにおける内周の部分を囲んで延在している。保持用部分８６６のターミナルエンド８６８は、挿入部分８６４にほぼ平行な方向にいくらか細長くなっていて、アタッチメントラグ８５４がその中に配置される場合、かつ力がホースアセンブリ１８ｅに作用し、駆動ヘッドアセンブリ１２ｅから引きもどす傾向にある場合、アタッチメントラグ８５４は幾分か前方へ移動する。そのように、例示のカップリング端部８５０は、ポートにさらに挿入されかつ回転され、ホースアセンブリ１１８ｅが駆動ヘッドアセンブリ１２ｅからはずれないようにしている。カップリング端部８５０をさらに挿入し回転することの必要性は、ホースアセンブリ１８ｅが、予期せぬときにポートからはずれることを阻止することに役立っている。
【００６３】
図１４のＡにおいて、ホースアセンブリ１８ｅの対向端部８８０は、いずれのホース端部アタッチメント２０ｅに摩擦取りつけ可能となっている。そのようなホース端部アタッチメント２０ｅは従来技術において公知であって、その構造および使用についての詳細な説明は行なわない。ホース端部アタッチメント２０ｅが、紛失しなくてかつすぐ使えることを保証するために、乾湿用吸引掃除機１０ｅは、好ましくはハウジング４０ｅと一体的に成形されてもよい、あるいは個別に成形されハウジング４０ｅにねじ（図示されていない）で取りつけられてもよい用具保持器８９０を含んでいる。
【００６４】
例示において、用具保持器８９０が一対の円筒状凹部９００を含んでいて、その凹部９００は、すき間用用具２０ｅ′及びノズル２ｅ″と、ホースアセンブリ１８ｅに摩擦係合する（すなわち縁周囲を把持する）べく形成されたＣ字形カラー８０２とを受け入れるべく形成されている。従って、ユーザは、図２８に示すように、ホースアセンブリ１８ｅのカップリング端部８５０を入口５０ｅに挿入することにより、そしてホースアセンブリ１８ｅがバッテリエンクロージャ５５０とふた５５２との下方にくるように、ホースアセンブリ１８ｅを乾湿用吸引掃除機１０ｅの側面周囲に巻き付けることにより、さらにホースアセンブリ１８ｅの一部をＣ字形カラー８０２へ留めることにより、ホースアセンブリ１８ｅを格納位置に格納することができる。ホースアセンブリ１８ｅをこのように格納することにより、ホースアセンブリ１８ｅの対向端部８８８は、固定位置に維持され、乾湿用吸引掃除機１０ｅがホコリを対象物から除去するために運転され場合、さらに乾湿用吸引掃除機１０ｅのユーザが一方の手で対象物を保持し、他方の手でホコリを対象物から除去するのに使用する場合に、補助的に利用することができる。すなわち、Ｃ字形カラー８０２は、必要に応じてホースアセンブリ１８ｅの対向端部８８を保持するために、“第三の手”として使用されてもよい。好ましくは、Ｃ字形カラー８０２とカップリング端部８５０との間のホースアセンブリ１８ｅの部分（すなわちホースアセンブリ１８ｅのボデー）は、（ホースアセンブリ１８ｅのボデーの伸縮特性により）引張状態にあるので、ホースアセンブリ１８ｅのボデーは、格納位置に配列される場合、ハウジング４０とキャニスタ１００ｅとにしめつけられるようになっている。
【００６５】
代りに、図２９に示すように、ホースアセンブリ１８ｅのカップリング端部８５０は入口及び出口ポート５０ｅ及び５２ｅの一方に挿入することができてもよくて、ホースアセンブリ１８ｅは、バッテリエンクロージャ５５０及びふた５５２の下方に来るように乾湿用吸引掃除機１０ｅの側面に巻きつけられ、かつ対向端部８８０は、入口及び出口ポート５０ｅ及び５２ｅの他方へ接続されてもよい。好ましくは、対向端部８８０とカップリング端部８５０との間のホースアセンブリ１８ｅの部分（すなわちホースアセンブリ１８ｅのボデー）は、（ホースアセンブリ１８ｅのボデーの伸縮特性により）引張状態にあるので、ホースアセンブリ１８ｅのボデーは、格納位置に配列される場合、ハウジング４０とキャニスタ１００ｅとに取りつけられるようになっている。
【００６６】
図１４のＡにおいて、肩ひも２２ｅは、駆動ヘッドアセンブリ１２ｅへ接続されていて、乾湿用吸引掃除機１０ｅのユーザが選択的にユニットを肩にかけ、従ってユーザの手は、他の器具の運搬、あるいは乾湿用吸引掃除機１０ｅを使用する場合ホースアセンブリ１８ｅの操作を含めた、他の作業に使えるようになっている。例示の実施態様において、肩ひも２２ｅは、入口及び出口ポート５０ｅ及び５２ｅ近傍のハウジング４０ｅから延伸している二つのクリップ９２０へ接続されている。
【００６７】
図３０において、選択的なコード巻きつけ器９３０も乾湿用吸引掃除機１０ｅに含まれている。例示において、コード巻きつけ器９３０は、ハウジング４０ｅに取りつけられている二つのＬ字形ブラケット９６０を備えている。ブラケット９６０が、大きなフランジ９６２を含んでいて、そのフランジ９６２は、ハウジング４０ｅから離間し、その間にコード巻きつけ器キャビテー９６４を形成しており、電気コード２４ｅは格納するべくそのキャビテー９６４周囲に巻きつけることができる。
【００６８】
図３１において、本発明の教示にもとづき作られた工具セットが全体として符号１０００で示されている。工具セット１０００は、種々の電動工具１００２と、バッテリパック２８ｅを含んでいる前述の乾湿用吸引掃除機１０ｅとを含んでいる。電動工具１００２各々が、乾湿用吸引掃除機１０ｅのレセプタクルアセンブリ６４ｅと両立式で好ましくは同類あるいは同一である構造を有する、レセプタクルアセンブリ６４ｅを含んでいる構造体であって、従って、バッテリパック２８ｅは、電動工具１００２の所定の一つに選択的に接続され、所定の電動工具１００２の作動用電源を供給できるようになっている。利点のあることに、バッテリパック２８ｅは、工具セット１０００のいずれのコンポーネントにも選択的に接続され、従って選択された電動工具１００２あるいは乾湿用吸引掃除機１０ｅを駆動することができる。特定の電動工具がドリルドライバ１００２ａ、丸のこ１００２ｂ、往復動のこ１００２ｃ及びフラッシュライト１００２ｄ含んでいる一方で、当業者においては、本開示に照らしてみれば、特定の電動工具は、所望するいずれのタイプであってもよくて、かつ例えばハンマドリル、糸のこ、スクリュ・ドライバ、インパクトレンチ、ロータリハンマ、ルータ、スパイラルのこ、プレート連結器、金属加工用せん断機、グラインダ、サンダー緩衝器、セルフレベリング式ロータリレーザー、手動レベル式ロータリレーザー及びオーディオ機器を含んでいてもよいことが理解されるであろう。
【００６９】
好適な実施態様を参照して、本発明を明細に説明し図面で例示してきたが、当業者においては、特許請求の範囲に規定するような本発明の範囲から逸脱することなく、種々の変更が行なわれ、同等な構成要素が取りかえられてもよいことは理解されるであろう。さらに、本発明に対しその本質的な範囲を逸脱することなく、特定の用途に利用し又は材料を使用するべく多くの修正がなされてもよい。従って、本発明は、発明を実施するための最良の形態として図面に例示し、明細書に説明してきた特定の実施態様に限定されるものではないことを意図するものであって、前述の説明と特許請求の範囲にかかわるいずれの実施態様をも含むことを意図しているものである。
【図面の簡単な説明】
【００７０】
【図１】図１は、本発明の教示にもとづいて作った乾湿用吸引掃除機の斜視図である。
【図２】図２は、図１における乾湿用吸引掃除機の分解図である。
【図３】図３は、図１における乾湿用吸引掃除機の一部分の概略図であって制御装置回路と充電回路との詳細を示している。
【図４】図４は、図１における乾湿用吸引掃除機の一部分の概略図であって、ソケットアセンブリの詳細を示している。
【図５】図５は、図１における乾湿用吸引掃除機の概略図であって、乾湿用吸引掃除機を真空モードで使用する場合の流れ方向を示している。
【図６】図６は、図１における乾湿用吸引掃除機の概略図であって、乾湿用吸引掃除機をブローモードで使用する場合の流れ方向を示している。
【図７】図７は、本発明の教示により作られた第二乾湿用吸引掃除機の断面図である。
【図８】図８は、本発明の教示により作られた第三乾湿用吸引掃除機の断面図である。
【図９】図９は、図８と同様の断面図であるが、持ち上げた状態の駆動ヘッドアセンブリと、ハウジングから取りはずしたキャニスタアセンブリとを示している。
【図１０】図１０は、本発明の教示により作られた第四乾湿用吸引掃除機の断面図である。
【図１１】図１１は、図１０と同様の断面図であるが、ハウジングから取りはずしたキャニスタアセンブリを示している。
【図１２】図１２は、本発明の教示により作られた第五乾湿用吸引掃除機の断面図である。
【図１３】図１３は、図１２と同様の断面図であるが、取りはずした状態の第二フィルタを示している。
【図１４】図１４のＡは、本発明の教示により作られた第六乾湿用吸引掃除機の断面図である。  図１４のＢは、図１４のＡにおける乾湿用吸引掃除機の正面図を示している。
【図１５】図１５は、図１４のＡにおける乾湿用吸引掃除機の縦断面図を示している。
【図１６】図１６は、図１５の部分拡大図であって、冷却流体入口を詳細に示している。
【図１７】図１７は、図１５の部分拡大図であって、冷却流体出口を詳細に示している。
【図１８】図１８は、図１４における乾湿用吸引掃除機の一部分の概略図であって、制御装置を詳細に示している。
【図１９】図１９は、図１４における乾湿用吸引掃除機の斜視図であって、下げた状態のふたと、バッテリパック枠からはずしたバッテリパックを示している。
【図２０】図２０は、図１４における乾湿用吸引掃除機の一部分の概略図であって電源を詳細に示している。
【図２１】図２１のＡは、図１４における乾湿用吸引掃除機の一部分の概略図であってスイッチ装置を詳細に示している。  図２１のＢは、図２１のＡと同様の概略図であるが、別の制御装置を示している。
【図２２】図２２は、図１５の部分拡大図であって、主フィルタを詳細に示している。
【図２３】図２３は、主フィルタの平面図である。
【図２４】図２４は、主フィルタの側面図であって、保持用タブ形状を詳細に示している。
【図２５】図２５は、図１４における乾湿用吸引掃除機の一部分の底面図であって、駆動ヘッドアセンブリのハウジングを詳細に示している。
【図２６】図２６は、駆動ヘッドアセンブリのハウジングの一部分の側面図であって、保持用スロットの一つを詳細に示している。
【図２７】図２７は、図１４における乾湿用吸引掃除機の一部分の平面図であって、ホースアセンブリのカップリング端部を詳細に示している。
【図２８】図２８は、図１４における乾湿用吸引掃除機の背面図であって、第一収納状態のホースアセンブリを示している。
【図２９】図２９は、図２８と同様の図であるが、第二収納状態のホースアセンブリを示している。
【図３０】図３０は、乾湿用吸引掃除機の一部分の平面図であって、収納状態における電気コードを示している。
【図３１】図３１は、本発明の教示にもとづいて作った工具セットの斜視図である。
【符号の説明】
【００７１】
１０…乾湿用吸引掃除機
１２…駆動ヘッドアセンブリ
１４…キャニスタアセンブリ
１６…フィルタ装置
１８…ホースアセンブリ
２８…バッテリパック
４４…ファン
【図１】
2004160235.tif 000003
【図２】
2004160235.tif 000004
【図３】
2004160235.tif 000005
【図４】
2004160235.tif 000006
【図５】
2004160235.tif 000007
【図６】
2004160235.tif 000008
【図７】
2004160235.tif 000009
【図８】
2004160235.tif 000010
【図９】
2004160235.tif 000011
【図１０】
2004160235.tif 000012
【図１１】
2004160235.tif 000013
【図１２】
2004160235.tif 000014
【図１３】
2004160235.tif 000015
【図１４】
2004160235.tif 000016
【図１５】
2004160235.tif 000017
【図１６】
2004160235.tif 000018
【図１７】
2004160235.tif 000019
【図１８】
2004160235.tif 000020
【図１９】
2004160235.tif 000021
【図２０】
2004160235.tif 000022
【図２１】
2004160235.tif 000023
【図２２】
2004160235.tif 000024
【図２３】
2004160235.tif 000025
【図２４】
2004160235.tif 000026
【図２５】
2004160235.tif 000027
【図２６】
2004160235.tif 000028
【図２７】
2004160235.tif 000029
【図２８】
2004160235.tif 000030
【図２９】
2004160235.tif 000031
【図３０】
2004160235.tif 000032
【図３１】
2004160235.tif 000033